(57)【要約】【課題】本発明は送信結果通知メールによる送信結果通知処理を効率的に行って、利用性を向上させたネットワークファクシミリ装置を提供する。【解決手段】ネットワークファクシミリ装置１は、セットされた原稿をスキャナ２で読み取って、操作表示部６で指定された宛先に直接ファクシミリ送信するとともに、ネットワークに接続された端末装置からのファクシミリ送信要求に応じて電話回線を使用してファクシミリ送信を行い、当該ファクシミリ送信の送信結果を送信結果通知メールとして当該ファクシミリ送信要求を行ったユーザの端末装置にネットワークを介して送信する送信結果通知処理を行うに際して、直接送信時に、操作表示部６で、送信結果通知メールの要否を選択可能とし、当該選択結果に基づいて送信結果通知メールによる送信結果通知処理を制御する。【選択図】          図１
2005094623.tif 000002
【特許請求の範囲】
【請求項１】
電話回線とネットワークに接続され、原稿台にセットされた原稿を順次読取手段で読み取って、操作手段で指定された宛先に直接ファクシミリ送信するとともに、前記ネットワークに接続された端末装置からのファクシミリ送信要求に応じて前記電話回線を使用してファクシミリ送信を行い、当該ファクシミリ送信の送信結果を送信結果通知メールとして当該ファクシミリ送信要求を行ったユーザの前記端末装置に前記ネットワークを介して送信する送信結果通知処理を行うネットワークファクシミリ装置において、前記直接送信時に、前記操作手段で、前記送信結果通知メールの要否を選択可能とし、当該選択結果に基づいて前記送信結果通知メールによる送信結果通知処理を制御することを特徴とするネットワークファクシミリ装置。
【請求項２】
前記ネットワークファクシミリ装置は、前記送信結果通知メールを受信した前記端末装置からの当該送信結果通知メールに対する返信操作によって、前記ネットワークファクシミリ装置からの一切の前記送信結果通知メールの要否を選択可能とし、当該選択結果に基づいて以降の当該端末装置への一切の前記送信結果通知メールによる送信結果通知処理を制御することを特徴とする請求項１記載のネットワークファクシミリ装置。
【請求項３】
前記ネットワークファクシミリ装置は、前記送信結果通知メールを受信した前記端末装置からの当該送信結果通知メールに対する返信操作によって、当該送信結果通知メールにかかる宛先への送信についての送信結果通知メールの要否を選択可能とし、当該選択結果に基づいて以降の当該宛先への送信についての当該端末装置への前記送信結果通知メールによる送信結果通知処理を制御することを特徴とする請求項１または請求項２記載のネットワークファクシミリ装置。
【発明の詳細な説明】
【技術分野】
【０００１】
本発明は、ネットワークファクシミリ装置に関し、詳細には、送信結果通知メールによる送信結果通知処理を効率的に行って、利用性を向上させたネットワークファクシミリ装置に関する。
【背景技術】
【０００２】
近年、通信網の整備によりネットワークが普及しており、ファクシミリ装置においてもネットワークを使用してファクシミリ通信を行うネットワークファクシミリ装置が提案されている（特許文献１、特許文献２、特許文献３等参照）。
【０００３】
このようなネットワークファクシミリ装置は、従来、ネットワークに接続されたパーソナルコンピュータ等からファクシミリ送信要求があると、当該ユーザからのファクシミリ送信要求を受け付け、ファクシミリ送信が完了すると、ユーザのパーソナルコンピュータへのメールの送信やユーザのパーソナルコンピュータにダイアログボックスを表示する等によりファクシミリ送信完了通知を行っている（特許文献４等参照）。
【０００４】
【特許文献１】特開平１１−２３４３４３号公報
【特許文献２】特開２０００−２２８１４号公報
【特許文献３】特開平１１−２９８５２０号公報
【特許文献４】特開平１１−２１５１８０号公報
【発明の開示】
【発明が解決しようとする課題】
【０００５】
しかしながら、上記従来のネットワークファクシミリ装置にあっては、ファクシミリ送信完了通知をユーザのパーソナルコンピュータへのメールの送信やユーザのパーソナルコンピュータにダイアログボックスを表示すること等により行っているため、ユーザは、ファクシミリ送信が完了したか否かを確認するためには、ユーザのパーソナルコンピュータの設置場所に行って、確認する必要があるが、送信者がファクシミリ装置で直接送信操作をして、セットした原稿を直接送信する直接送信動作では、通常、送信者は、ファクシミリ装置の送信動作が終了するまでファクシミリ装置の設置場所で目視している。このような場合には、送信結果通知メールによる送信結果の端末装置への通知は不要であるだけでなく、通知された送信結果通知メールを端末装置で処理するのに手間がかかり、利用性が悪いという問題があった。
【０００６】
そこで、請求項１記載の発明は、電話回線とネットワークに接続され、原稿台にセットされた原稿を順次読取手段で読み取って、操作手段で指定された宛先に直接ファクシミリ送信するとともに、ネットワークに接続された端末装置からのファクシミリ送信要求に応じて電話回線を使用してファクシミリ送信を行い、当該ファクシミリ送信の送信結果を送信結果通知メールとして当該ファクシミリ送信要求を行ったユーザの端末装置にネットワークを介して送信する送信結果通知処理を行うに際して、直接送信時に、操作手段で、送信結果通知メールの要否を選択可能とし、当該選択結果に基づいて送信結果通知メールによる送信結果通知処理を制御することにより、ネットワークファクシミリ装置の操作手段を使用した直接送信操作時に送信結果通知メールの要否を選択できるようにして、ユーザの意図に応じた送信結果通知処理を行い、利用性の良好なネットワークファクシミリ装置を提供することを目的としている。
【０００７】
請求項２記載の発明は、送信結果通知メールを受信した端末装置からの当該送信結果通知メールに対する返信操作によって、ネットワークファクシミリ装置からの一切の送信結果通知メールの要否を選択可能とし、当該選択結果に基づいて以降の当該端末装置への一切の送信結果通知メールによる送信結果通知処理を制御することにより、端末装置の大きな画面を利用した操作で、当該端末装置への送信結果通知メールの要否を一括して選択できるようにして、ユーザの意図に応じた送信結果通知処理を行い、より一層利用性の良好なネットワークファクシミリ装置を提供することを目的としている。
【０００８】
請求項３記載の発明は、送信結果通知メールを受信した端末装置からの当該送信結果通知メールに対する返信操作によって、当該送信結果通知メールにかかる宛先への送信についての送信結果通知メールの要否を選択可能とし、当該選択結果に基づいて以降の当該宛先への送信についての当該端末装置への送信結果通知メールによる送信結果通知処理を制御することにより、端末装置の大きな画面を利用した操作で、当該端末装置への宛先毎の送信結果通知メールの要否を選択できるようにして、ユーザの意図に応じた送信結果通知処理を行い、より一層利用性の良好なネットワークファクシミリ装置を提供することを目的としている。
【課題を解決するための手段】
【０００９】
請求項１記載の発明のネットワークファクシミリ装置は、電話回線とネットワークに接続され、原稿台にセットされた原稿を順次読取手段で読み取って、操作手段で指定された宛先に直接ファクシミリ送信するとともに、前記ネットワークに接続された端末装置からのファクシミリ送信要求に応じて前記電話回線を使用してファクシミリ送信を行い、当該ファクシミリ送信の送信結果を送信結果通知メールとして当該ファクシミリ送信要求を行ったユーザの前記端末装置に前記ネットワークを介して送信する送信結果通知処理を行うネットワークファクシミリ装置において、前記直接送信時に、前記操作手段で、前記送信結果通知メールの要否を選択可能とし、当該選択結果に基づいて前記送信結果通知メールによる送信結果通知処理を制御することにより、上記目的を達成している。
【００１０】
この場合、例えば、請求項２に記載するように、前記ネットワークファクシミリ装置は、前記送信結果通知メールを受信した前記端末装置からの当該送信結果通知メールに対する返信操作によって、前記ネットワークファクシミリ装置からの一切の前記送信結果通知メールの要否を選択可能とし、当該選択結果に基づいて以降の当該端末装置への一切の前記送信結果通知メールによる送信結果通知処理を制御するものであってもよい。
【００１１】
また、例えば、請求項３に記載するように、前記ネットワークファクシミリ装置は、前記送信結果通知メールを受信した前記端末装置からの当該送信結果通知メールに対する返信操作によって、当該送信結果通知メールにかかる宛先への送信についての送信結果通知メールの要否を選択可能とし、当該選択結果に基づいて以降の当該宛先への送信についての当該端末装置への前記送信結果通知メールによる送信結果通知処理を制御するものであってもよい。
【発明の効果】
【００１２】
請求項１記載の発明のネットワークファクシミリ装置によれば、電話回線とネットワークに接続され、原稿台にセットされた原稿を順次読取手段で読み取って、操作手段で指定された宛先に直接ファクシミリ送信するとともに、ネットワークに接続された端末装置からのファクシミリ送信要求に応じて電話回線を使用してファクシミリ送信を行い、当該ファクシミリ送信の送信結果を送信結果通知メールとして当該ファクシミリ送信要求を行ったユーザの端末装置にネットワークを介して送信する送信結果通知処理を行うに際して、直接送信時に、操作手段で、送信結果通知メールの要否を選択可能とし、当該選択結果に基づいて送信結果通知メールによる送信結果通知処理を制御するので、ネットワークファクシミリ装置の操作手段を使用した直接送信操作時に送信結果通知メールの要否を選択できるようにして、ユーザの意図に応じた送信結果通知処理を行うことができ、利用性を向上させることができる。
【００１３】
請求項２記載の発明のネットワークファクシミリ装置によれば、送信結果通知メールを受信した端末装置からの当該送信結果通知メールに対する返信操作によって、ネットワークファクシミリ装置からの一切の送信結果通知メールの要否を選択可能とし、当該選択結果に基づいて以降の当該端末装置への一切の送信結果通知メールによる送信結果通知処理を制御するので、端末装置の大きな画面を利用した操作で、当該端末装置への送信結果通知メールの要否を一括して選択できるようにして、ユーザの意図に応じた送信結果通知処理を行うことができ、利用性をより一層向上させることができる。
【００１４】
請求項３記載の発明のネットワークファクシミリ装置によれば、送信結果通知メールを受信した端末装置からの当該送信結果通知メールに対する返信操作によって、当該送信結果通知メールにかかる宛先への送信についての送信結果通知メールの要否を選択可能とし、当該選択結果に基づいて以降の当該宛先への送信についての当該端末装置への送信結果通知メールによる送信結果通知処理を制御するので、端末装置の大きな画面を利用した操作で、当該端末装置への宛先毎の送信結果通知メールの要否を選択できるようにして、ユーザの意図に応じた送信結果通知処理を行うことができ、利用性をより一層向上させることができる。
【発明を実施するための最良の形態】
【００１５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１６】
図１〜図５は、本発明のネットワークファクシミリ装置の一実施例を示す図であり、図１は、本発明のネットワークファクシミリ装置の一実施例を適用したネットワークファクシミリ装置１のブロック構成図である。
【００１７】
図１において、ネットワークファクシミリ装置１は、スキャナ２、原稿センサ３、プロッタ４、用紙センサ５、操作表示部６、画像メモリ７、パラメータメモリ８、バッテリ９、指紋入力部１０、通信制御部１１、ＮＩＣ１２、無線制御部１３、スピーカ１４、モデム１５、網制御部１６、符号化・復号化部１７、ＣＰＵ（Central Processing Unit ）１８、ＲＯＭ（Read Only Memory）１９、バッファメモリ２０及びキャラクタジェネレータ２１等を備えており、各部は、バス２２により接続されている。
【００１８】
スキャナ（読取装置）２は、例えば、ＣＣＤ（Charge Coupled Device ）を利用したラインイメージスキャナ等が用いられており、スキャナ２は、原稿の画像を所定の解像度で読み取って画情報として出力する。
【００１９】
原稿センサ３は、スキャナ２への原稿のセットの有無及び原稿のジャム等を検出して、検出結果をＣＰＵ１８に出力する。
【００２０】
プロッタ４は、例えば、電子写真式記録装置等が用いられており、受信した画情報やスキャナ２の読み取った画情報に基づいて画像を記録紙に記録出力するとともに、通信レポートやその他の情報を記録紙に記録出力する。
【００２１】
用紙センサ５は、プロッタ４にセットされている記録紙の有無やプロッタ４の記録紙の経路のうちどの位置に記録紙があるかを検出し、検出結果をＣＰＵ１８に出力する。
【００２２】
操作表示部（操作手段）６は、テンキーやスタートキー及びファンクションキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。特に、操作表示部６は、送信結果通知メールを端末装置に送信するか否かの選択操作するのに使用される。
【００２３】
画像メモリ７は、ＲＡＭあるいはハードディスク等の読み／書き可能なメモリで構成され、主に送信用の画情報や受信した画情報を記憶する。画像メモリ７は、画情報を所定のファイル単位毎に記憶し、ＣＰＵ１８は、この画像メモリ７内の画情報をファイル単位で管理する。
【００２４】
パラメータメモリ８は、読み／書き可能な不揮発性メモリで構成され、メモリ送信の送信先電話番号、ワンタッチダイヤル、短縮ダイヤル及びグループダイヤル等に対応付けられた送信先（相手先）電話番号や送信先（相手先）名称等のダイヤル情報、自己局の電話番号や名称及等の自局情報び読取濃度情報や記録濃度情報等の各種設定情報を記憶する。パラメータメモリ８は、特に、送信結果通知メールの送信アドレス等を記憶する。
【００２５】
パラメータメモリ８は、バッテリ９により、停電やファクシミリ装置１の電源がオフされているときにも、パラメータメモリ８内の各情報が保持されるように、バックアップされている。
【００２６】
指紋入力部１０は、ネットワークファクシミリ装置１の操作者の手の指紋を検出するものであり、ネットワークファクシミリ装置１は、この指紋入力部１０で検出した操作者の指紋が、予めパラメータメモリ８等に登録されているネットワークファクシミリ装置１の操作を許可されている操作者の指紋と一致すると、当該操作者の操作を許可する。
【００２７】
通信制御部１１は、ＣＰＵ１８の制御下で動作して、モデム１５及び網制御部１６の動作を制御して、相手ファクシミリ装置との間でファクシミリ制御信号を交換し、ファクシミリ通信手順を実行する。
【００２８】
ＮＩＣ１２は、ＬＡＮ（Local Area Network）等のネットワークに接続され、通信制御部１１の制御下で、ＬＡＮを介してのメール送信やリアルタイムインターネットＦＡＸ通信を実現する。また、ＮＩＣ１２には、ネットワークファクシミリ装置１を利用してファクシミリ送信等を行うユーザの端末装置（例えば、パーソナルコンピュータ等）が接続されており、端末装置からＬＡＮを介してネットワークファクシミリ装置１にファクシミリ送信要求を行って画像データをネットワークファクシミリ装置１に送信すると、ネットワークファクシミリ装置１が当該ファクシミリ送信要求の宛先に当該端末装置からの画像データをファクシミリ送信するとともに、ファクシミリ送信が完了すると、送信結果を送信結果通知メールで当該ファクシミリ送信要求のあった端末装置に通知する。
【００２９】
無線制御部１３は、携帯装置と正常に通信するためのデータ制御を行い、この無線通信Ｉ／Ｆとしては、機器間の短距離の通信Ｉ／Ｆとして、近年では、Ｂｌｕｅｔｏｏｔｈ等が知られている。
【００３０】
スピーカ１４は、通信制御部１１の制御下で動作し、例えば、通信音やファクシミリ通信結果情報等を拡声出力する。
【００３１】
モデム１５は、網制御部１６に接続されており、ＣＰＵ１８の制御下で動作して、送信信号の変調及び受信信号の復調を行う。また、モデム１５は、送出する信号レベルを設定し、この送出信号の回り込み信号の信号レベルを検出する。
【００３２】
網制御部１６は、公衆回線網等に接続されており、ＣＰＵ１８の制御下で動作して、公衆回線網からの発呼に対して自動着呼し、また、公衆回線網への自動発呼処理を行う。
【００３３】
符号化・復号化部１７は、画情報の画像メモリ７への蓄積の効率化や伝送時間の短縮化を図るためのものであり、所定の符号化方式に従って画情報を符号化し、また、符号化された画情報を復号化する。
【００３４】
ＲＯＭ１９には、ファクシミリ装置１の基本処理プログラム及び後述する送信結果通知メール制御処理プログラム等の各種ファームウェアプログラムが格納されているとともに、これらの各処理プログラムを実行するのに必要な各種データやシステムデータ等が格納されている。
【００３５】
ＣＰＵ１８は、ＲＯＭ１９内のプログラムに基づいてバッファメモリ２０をワークメモリとして利用しながらネットワークファクシミリ装置１の各部を制御し、ネットワークファクシミリ装置１としての基本処理を実行するとともに、後述する送信結果通知メール制御処理を実行する。
【００３６】
キャラクタジェネレータ２１は、英字、数字、カナ字、記号、かな字及び漢字等の各文字フォントデータを記憶し、ＣＰＵ１８は、このキャラクタジェネレータ２１の記憶する文字フォントデータを使用して、操作表示部６への文字データの表示や上記通信レポートの文字変換等を行う。
【００３７】
次に、本実施例の作用を説明する。ネットワークファクシミリ装置１は、ＬＡＮに接続された端末装置からＬＡＮを介してネットワークファクシミリ装置１にファクシミリ送信要求を行って画像データをネットワークファクシミリ装置１に送信すると、ネットワークファクシミリ装置１が当該ファクシミリ送信要求の宛先に当該端末装置からの画像データをファクシミリ送信するとともに、ファクシミリ送信が完了すると、送信結果を送信結果通知メールで当該ファクシミリ送信要求のあった端末装置に通知する。
【００３８】
ところが、ネットワークスキャナ装置１は、初期設定状態では、ネットワークファクシミリ装置１の操作表示部６で送信操作されて直接送信する場合にも、当該送信操作者の端末装置に送信結果通知メールを送信する。
【００３９】
ところが、操作者は、ネットワークファクシミリ装置１の操作表示部６で操作しているため、読み取った原稿を画像メモリ７に蓄積して後刻に送信するのではなく、読み取った原稿を直接送信する場合には、通常、送信動作が終了するまで、目視確認することが多く、送信結果が既に既知である場合がある。このような場合には、送信結果通知メールは不要である。
【００４０】
そこで、本実施例のネットワークファクシミリ装置１は、図２に示すように、ネットワークファクシミリ装置１が送信機として、当該ネットワークスキャナ装置１で原稿がセットされ（Ｓ１）、操作表示部６で、宛先が選択操作されて（Ｓ２）、通知メール要否選択が行われて（Ｓ３）、スタートキーが押されると、スキャナ２で原稿の読み取りを行って、読み取った原稿の画情報を指定された相手ファクシミリ装置である受信機にファクシミリ送信する（Ｓ４）。
【００４１】
そして、ネットワークファクシミリ装置１は、上記一連の操作に対して、図３に示すようなガイダンス画面を、操作表示部６のディスプレイに行う。すなわち、図３の画面ａでは、原稿のセットが可能である旨のガイダンス画面を表示し、この画面に応じて原稿がセットされると、図３の画面ｂに示すように、宛先の選択画面を表示する。図３の画面ｂの表示に応じて、宛先が選択されると、図３の画面ｃに示すように、選択された宛先の確認画面と送信結果通知メールの要否の選択画面を表示し、送信結果通知メールが必要で有る旨または不必要である旨が選択されて、スタートキーが押されると、図３の画面ｄに示すように、選択された宛先への送信中を示す表示を行う。
【００４２】
再び、図２において、ネットワークファクシミリ装置１は、受信機へのファクシミリ送信を完了し、送信結果通知メール要否選択で送信結果通知メール要が選択されていると、送信結果通知メールを操作者のパーソナルコンピュータ等の端末装置（ＰＣ）に送信する（Ｓ５）。なお、送信結果通知メール要否選択で送信結果通知メール否が選択されていると、ネットワークファクシミリ装置１は、送信結果通知メールの操作者の端末装置への送信を行わない。
【００４３】
この送信結果通知メールの送信先アドレスは、送信機であるネットワークファクシミリ装置１に予め登録されているユーザ情報に基づいて決定する。
【００４４】
操作者の端末装置は、送信結果通知メールを受信すると、図４に示すように、当該送信結果通知メールをディスプレイ３０に表示するとともに、以降、当該宛先への送信に関して、送信結果通知メールが必要であるか否かを選択するダイアログ画面を表示する（Ｓ６）。
【００４５】
そして、操作者の端末装置は、送信結果通知メールの要否が選択されると、図２に示すように、当該選択結果を通知する（Ｓ７）。
【００４６】
ネットワークファクシミリ装置１は、送信結果通知メールの要否の選択結果が端末装置から通知されると、当該送信結果通知メールの要否選択結果情報をパラメータメモリ８に格納して、管理し、以降、当該要否選択結果情報に基づいて当該端末装置のユーザ（操作者）による当該宛先への直接送信での送信結果については、送信結果通知メールを送信するか否か制御する。
【００４７】
このパラメータメモリ８には、例えば、図５に示すように、各ユーザ毎に、当該ユーザのメールアドレスとともに、直接送信の場合の一切の送信結果通知メール（直接送信結果通知メール）の要否及び各宛先毎の送信結果通知メールの要否の情報が格納される。
【００４８】
このように、本実施例のネットワークファクシミリ装置１は、電話回線とネットワークに接続され、原稿台にセットされた原稿を順次スキャナ２で読み取って、操作表示部６で指定された宛先に直接ファクシミリ送信するとともに、ネットワークに接続された端末装置からのファクシミリ送信要求に応じて電話回線を使用してファクシミリ送信を行い、当該ファクシミリ送信の送信結果を送信結果通知メールとして当該ファクシミリ送信要求を行ったユーザの端末装置にネットワークを介して送信する送信結果通知処理を行うに際して、直接送信時に、操作表示部６で、送信結果通知メールの要否を選択可能とし、当該選択結果に基づいて送信結果通知メールによる送信結果通知処理を制御している。
【００４９】
したがって、ネットワークファクシミリ装置１の操作表示部６を使用した直接送信操作時に送信結果通知メールの要否を選択できるようにして、ユーザの意図に応じた送信結果通知処理を行うことができ、利用性を向上させることができる。
【００５０】
また、本実施例のネットワークファクシミリ装置１は、送信結果通知メールを受信した端末装置からの当該送信結果通知メールに対する返信操作によって、ネットワークファクシミリ装置１からの一切の送信結果通知メールの要否を選択可能とし、当該選択結果に基づいて以降の当該端末装置への一切の送信結果通知メールによる送信結果通知処理を制御している。
【００５１】
したがって、端末装置の大きな画面を利用した操作で、当該端末装置への送信結果通知メールの要否を一括して選択できるようにして、ユーザの意図に応じた送信結果通知処理を行うことができ、利用性をより一層向上させることができる。
【００５２】
さらに、本実施例のネットワークファクシミリ装置１は、送信結果通知メールを受信した端末装置からの当該送信結果通知メールに対する返信操作によって、当該送信結果通知メールにかかる宛先への送信についての送信結果通知メールの要否を選択可能とし、当該選択結果に基づいて以降の当該宛先への送信についての当該端末装置への送信結果通知メールによる送信結果通知処理を制御している。
【００５３】
したがって、端末装置の大きな画面を利用した操作で、当該端末装置への宛先毎の送信結果通知メールの要否を選択できるようにして、ユーザの意図に応じた送信結果通知処理を行うことができ、利用性をより一層向上させることができる。
【００５４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５５】
送信結果通知メールをユーザの端末装置に送信するネットワークファクシミリ装置一般に適用することができる。
【図面の簡単な説明】
【００５６】
【図１】本発明のネットワークファクシミリ装置の一実施例を適用したネットワークファクシミリ装置のブロック構成図。
【図２】図１のネットワークファクシミリ装置からの直接送信時の送信機及びユーザ端末装置との間の処理タイミング図。
【図３】図２のネットワークファクシミリ装置の処理時に操作表示部のディスプレイに表示するガイダンスの一例を示す図。
【図４】図２のネットワークファクシミリ装置からの送信結果通知メールと当該メールの要否の選択情報を表示するユーザ端末装置のディスプレイの表示画面の一例を示す図。
【図５】図１のネットワークファクシミリ装置のパラメータメモリに格納されている送信結果通知メールの要否選択結果情報の一例を示す図。
【符号の説明】
【００５７】
１  ネットワークファクシミリ装置
２  スキャナ
３  原稿センサ
４  プロッタ
５  用紙センサ
６  操作表示部
７  画像メモリ
８  パラメータメモリ
９  バッテリ
１０  指紋入力部
１１  通信制御部
１２  ＮＩＣ
１３  無線制御部
１４  スピーカ
１５  モデム
１６  網制御部
１７  符号化・復号化部
１８  ＣＰＵ
１９  ＲＯＭ
２０  バッファメモリ
２１  キャラクタジェネレータ
２２  バス
３０  ディスプレイ
【図１】
2005094623.tif 000003
【図２】
2005094623.tif 000004
【図３】
2005094623.tif 000005
【図４】
2005094623.tif 000006
【図５】
2005094623.tif 000007